(57)【要約】【課題】タイルカーペットの模様などを容易に変更することが可能なタイルカーペットの施工方法及びタイルカーペットの配置構造を提供する。【解決手段】タイルカーペットの施工方法は、タイルカーペット１０を下地カーペット２０に対して脱着自在に貼り付ける工程を有する。この工程では、一方の面（例えば裏面１３）に面ファスナーのフック面３２が形成されているタイルカーペット１０のフック面３２と、表面（表側の面）が起毛している下地カーペット２０の表面の繊維と、を相互に係合させる。【選択図】図１
2013253430.tif 000002
【特許請求の範囲】
【請求項１】
一方の面に面ファスナーのフック面が形成されているタイルカーペットの前記フック面と、表面が起毛している下地カーペットの前記表面の繊維と、を相互に係合させることによって、前記タイルカーペットを前記下地カーペットに対して脱着自在に貼り付ける工程を有するタイルカーペットの施工方法。
【請求項２】
前記タイルカーペットの他方の面と前記下地カーペットの前記表面とは、互いに外観が異なる請求項１に記載のタイルカーペットの施工方法。
【請求項３】
前記タイルカーペットの他方の面と前記下地カーペットの前記表面とは、色と模様とのうち少なくとも何れか一方が互いに異なる請求項２に記載のタイルカーペットの施工方法。
【請求項４】
前記タイルカーペットの他方の面が木目調である請求項３に記載のタイルカーペットの施工方法。
【請求項５】
前記下地カーペットが床面上に固定されている請求項１乃至４の何れか一項に記載のタイルカーペットの施工方法。
【請求項６】
表面が起毛している下地カーペットと、
一方の面に面ファスナーのフック面が形成されているタイルカーペットと、
を有し、
前記フック面と前記下地カーペットの前記表面の繊維とが相互に係合することによって、前記タイルカーペットが前記下地カーペットに対して脱着自在に貼り付けられているタイルカーペットの配置構造。
【発明の詳細な説明】
【技術分野】
【０００１】
本発明は、タイルカーペットの施工方法及びタイルカーペットの配置構造に関する。
【背景技術】
【０００２】
オフィスビルなどの床面には、ＯＡ（Ｏｆｆｉｃｅ  Ａｕｔｏｍａｔｉｏｎ）カーペットなどと称される矩形状のタイルカーペットが敷き詰められている場合がある。
【０００３】
特許文献１には、タイルカーペットを面ファスナーによって床面に貼り付ける技術が記載されている。
より具体的には、特許文献１の技術では、面ファスナーのフック面を上向きにして床面上に接着しておき、裏面がループ状に起毛したタイルカーペットの裏面を床面に（つまり上記のフック面に）貼り付けることによって、タイルカーペットを敷設する。または、面ファスナーのフック面を、タイルカーペットのループ状に起毛した裏面に予め貼り付けておき、フック面の裏面を床面に貼り付けることによって、タイルカーペットを敷設する。
【０００４】
また、特許文献２には、タイルカーペットを面ファスナーによって壁面に貼り付ける技術が記載されている。
【０００５】
特許文献１、２は、床面上又は壁面に新規にタイルカーペットを施工する場合の技術である。
【先行技術文献】
【特許文献】
【０００６】
【特許文献１】特開２００４−１０８０９６号公報
【特許文献２】登録実用新案公報第３０６２６５３号公報
【発明の概要】
【発明が解決しようとする課題】
【０００７】
ところで、既にカーペットが床面上などに施工されている場合に、そのカーペットを撤去することなく、カーペットの外観（模様など）に変更を加えたいという要求がある。
【０００８】
本発明は、上記の課題に鑑みなされたものであり、カーペットの模様などを容易に変更することが可能なタイルカーペットの施工方法及びタイルカーペットの配置構造を提供する。
【課題を解決するための手段】
【０００９】
本発明は、一方の面に面ファスナーのフック面が形成されているタイルカーペットの前記フック面と、表面が起毛している下地カーペットの前記表面の繊維と、を相互に係合させることによって、前記タイルカーペットを前記下地カーペットに対して脱着自在に貼り付ける工程を有するタイルカーペットの施工方法を提供する。
【００１０】
この施工方法によれば、タイルカーペットの一方の面には面ファスナーのフック面が形成されている。また、下地カーペットの表面は起毛しているため、面ファスナーのループ面として機能する。したがって、タイルカーペットの一方の面を下地カーペットの表面に押し付けるだけで、容易に、タイルカーペットを下地カーペットに対して脱着自在に貼り付けることができる。よって、タイルカーペットの配置を適宜設定することにより、所望の模様を下地カーペット上に形成することができるため、下地カーペットを撤去することなく、カーペットの模様などを容易に変更することができる。
【００１１】
また、下地カーペットの表面がフック面となっている訳ではないため、下地カーペットからタイルカーペットを取り外した際の下地カーペットの表面の美観を損ねない。よって、下地カーペットにタイルカーペットを取り付けた状態と、下地カーペットからタイルカーペットを取り外した状態との何れの状態においても、優れた美観を実現することができる。
【００１２】
また、本発明は、表面が起毛している下地カーペットと、
一方の面に面ファスナーのフック面が形成されているタイルカーペットと、
を有し、
前記フック面と前記下地カーペットの前記表面の繊維とが相互に係合することによって、前記タイルカーペットが前記下地カーペットに対して脱着自在に貼り付けられているタイルカーペットの配置構造を提供する。
【発明の効果】
【００１３】
本発明によれば、カーペットの模様などを容易に変更することが可能である。
【図面の簡単な説明】
【００１４】
【図１】実施形態に係るタイルカーペットの施工方法を説明するための模式的な断面図である。
【図２】実施形態に係るタイルカーペットの施工方法に用いられるタイルカーペットを示す模式図である。
【図３】実施形態に係るタイルカーペットの配置構造の例を示す模式的な平面図である。
【発明を実施するための形態】
【００１５】
以下、本発明の実施形態について、図面を用いて説明する。なお、すべての図面において、同様の構成要素には同一の符号を付し、適宜に説明を省略する。
【００１６】
図１は実施形態に係るタイルカーペットの施工方法を説明するための模式的な断面図である。このうち図１（ａ）はタイルカーペット１０を下地カーペット２０に貼り付ける前の状態を示し、図１（ｂ）はタイルカーペット１０を下地カーペット２０に貼り付けた状態を示す。
図２は実施形態に係るタイルカーペットの施工方法に用いられるタイルカーペット１０を示す模式図である。このうち図２（ａ）は斜視図、図２（ｂ）は平面図である。
図３（ａ）および図３（ｂ）の各々は、実施形態に係るタイルカーペットの配置構造の例を示す模式的な平面図である。
【００１７】
本実施形態に係るタイルカーペットの施工方法は、一方の面（例えば裏面１３）に面ファスナーのフック面３２が形成されているタイルカーペット１０のフック面３２と、表面（表側の面）が起毛している下地カーペット２０の表面の繊維と、を相互に係合させることによって、タイルカーペット１０を下地カーペット２０に対して脱着自在に貼り付ける工程を有する。以下、詳細に説明する。
【００１８】
先ず、本実施形態に係る施工方法に用いられるタイルカーペット１０と下地カーペット２０の構成についてそれぞれ説明する。
【００１９】
図１（ａ）に示すように、タイルカーペット１０の裏面１３には、面ファスナーのフック面３２を有するシート３０が、接着層３３を介して貼り付け固定されている。フック面３２には、多数のフック３１が設けられている。フック３１の形状は、例えば、かぎ針状、マッシュルーム状などであることが挙げられる。
【００２０】
タイルカーペット１０は、単層の構造でも良いし、複数層の構造をなしていても良い。図１及び図２（ａ）には、タイルカーペット１０が、本体層１１と、本体層１１上に形成された表層１２と、の２層構造である例を示している。なお、タイルカーペット１０は、３層以上の構造をなしていても良い。
【００２１】
本体層１１は、例えばＭＤＦ（Ｍｅｄｉｕｍ  Ｄｅｎｓｉｔｙ  Ｆｉｂｅｒｂｏａｒｄ）、プラスチック又は硬質ベース材などにより構成することができる。
【００２２】
表層１２は、化粧層とも呼ばれるものである。表層１２は、例えば木目印刷層、石調印刷層又はＵＶコーティング層などにより構成することができる。つまり、表層１２には、所定の着色が施されていたり、又は、木目調や石調などの所定の模様（柄）が形成されていたりする。一例として、タイルカーペット１０の表面（表側の面）１４の模様、すなわち表層１２の模様は、木目調とすることができる。
【００２３】
下地カーペット２０は、例えば、ＯＡカーペット等と称されるタイルカーペットであることが好適な一例である。
【００２４】
下地カーペット２０は、床４０の上面に対して、接着層５０を介して貼り付け固定されている。すなわち、下地カーペット２０は、床面上に固定されている。
【００２５】
下地カーペット２０は、例えば、本体層２１と、本体層２１上に形成された表層２２と、の２層構造であることが挙げられる。なお、下地カーペット２０は、３層以上の構造をなしていても良いし、１層の構造をなしていても良い。
【００２６】
下地カーペット２０の表面は、例えばループ状に起毛している。このため、下地カーペット２０の表面は、面ファスナーのフック面３２と相互に脱着自在に貼り付くことが可能である。すなわち、下地カーペット２０の表面は、面ファスナーのループ面として機能する。例えば、表層２２としてパイル地などを選択することにより、下地カーペット２０を、その表面がループ状に起毛した構造とすることができる。
【００２７】
なお、下地カーペット２０の表面は、必ずしもループ状に起毛していなくても良く、面ファスナーのフック面３２と相互に脱着自在に貼り付くことが可能であれば、その他の態様の起毛の仕方となっていても良い。
【００２８】
ここで、タイルカーペット１０の表面１４と下地カーペット２０の表面を構成する表層２２とは、互いに外観が異なることが好ましい。より具体的には、例えば、表面１４と表層２２とは、色と模様とのうち少なくとも何れか一方が互いに異なる。なお、表面１４と表層２２は、互いに色と模様とが同じである場合に、材質などの違いにより見た目の質感が互いに異なっていることによって、互いに外観が異なっていても良い。
【００２９】
タイルカーペット１０の平面形状は任意であるが、例えば、図２に示すように、矩形状とすることができる。
【００３０】
図２（ｂ）に示すように、フック面３２を有するシート３０は、例えば、タイルカーペット１０の平面視における外形線に沿って、矩形枠状などの形状に延在するように、裏面１３（図１（ａ））に貼り付け固定されている。
【００３１】
以上のように構成されたタイルカーペット１０を下地カーペット２０上に重ねて配置することによって、タイルカーペット１０を施工することができる。すなわち、タイルカーペット１０の裏面１３側のフック面３２を下地カーペット２０の表層２２に押し付けることによって、フック面３２のフック３１と表層２２を構成する繊維とを係合させ、タイルカーペット１０を下地カーペット２０に対して脱着自在に貼り付けることができる。
【００３２】
これにより、図１（ｂ）に示すような、本実施形態に係るタイルカーペットの配置構造が得られる。
すなわち、本実施形態に係るタイルカーペットの配置構造は、表面が起毛している下地カーペット２０と、一方の面（例えば裏面１３）に面ファスナーのフック面３２が形成されているタイルカーペット１０と、を有する。そして、フック面３２と下地カーペット２０の表層２２の繊維とが相互に係合することによって、タイルカーペット１０が下地カーペット２０に対して脱着自在に貼り付けられている。
【００３３】
なお、下地カーペット２０は、タイルカーペット１０によって覆われる領域の全面に亘って隙間無く敷設されていることが好ましい。このようにすることにより、タイルカーペット１０を下地カーペット２０から取り外した際には、床面が露出するのではなく、下地カーペット２０が見える状態となる。よって、任意のタイルカーペット１０を剥がしたときの美観を損ねないようにすることができる。
【００３４】
ここで、表面１４と表層２２とは互いに外観が異なるため、例えば図３に示すように、下地カーペット２０にタイルカーペット１０を所望の配置で敷設することにより、下地カーペット２０上に所望の模様などを形成することができる。
【００３５】
具体的には、例えば、図３（ａ）に示すように、互いに同一寸法でそれぞれ矩形状の複数のタイルカーペット１０を千鳥格子状の配置で下地カーペット２０上に敷設することにより、下地カーペット２０上に市松模様を形成することができる。なお、図３（ａ）においては、タイルカーペット１０の配置を分かりやすくするため、タイルカーペット１０の配置領域に網掛けを付している。
【００３６】
また、図３（ｂ）に示すように、複数種類の色又は模様のタイルカーペット１０を組み合わせて下地カーペット２０上に敷設することによっても、下地カーペット２０上に市松模様などの所望の模様を形成することができる。図３（ｂ）において、タイルカーペット１０ａとタイルカーペット１０ｂとは、表面１４の外観が互いに異なる。なお、図３（ｂ）においては、タイルカーペット１０ａの配置を分かりやすくするため、タイルカーペット１０ａの配置領域に網掛けを付している。
【００３７】
以上のような実施形態によれば、タイルカーペット１０の裏面１３には面ファスナーのフック面３２が形成されている。また、下地カーペット２０の表層２２は起毛しているため、面ファスナーのループ面として機能する。したがって、タイルカーペット１０の裏面１３を下地カーペット２０の表面に押し付けるだけで、容易に、タイルカーペット１０を下地カーペット２０に対して脱着自在に貼り付けることができる。よって、タイルカーペット１０の配置を適宜設定することにより、所望の模様を下地カーペット２０上に形成することができるため、下地カーペット２０を撤去することなく、カーペットの模様などを容易に変更することができる。
【００３８】
なお、仮にタイルカーペット１０の表面１４と下地カーペット２０の表層２２との外観が同様であったとしても、下地カーペット２０を例えば図３（ａ）のように敷設することにより、タイルカーペット１０の輪郭（タイルカーペット１０と下地カーペット２０とに段差が生じる部分）によって下地カーペット２０上に市松模様などの模様を形成することができる。
【００３９】
また、下地カーペット２０の表層２２にフック面が形成されている訳ではないため、下地カーペット２０からタイルカーペット１０を取り外した際の下地カーペット２０の表層２２の美観を損ねない。よって、下地カーペット２０にタイルカーペット１０を取り付けた状態と、下地カーペット２０からタイルカーペット１０を取り外した状態との何れの状態においても、優れた美観を実現することができる。
【００４０】
ここで、接着テープや糊（接着剤）によってタイルカーペットを下地カーペット上に施工することも考えられる。しかし、この場合、タイルカーペットを撤去する際に、接着テープや糊を綺麗に剥がすことができずに、接着テープや糊が下地カーペットに残留してしまう場合がある。
これに対して、本実施形態では、面ファスナーによってタイルカーペット１０を下地カーペット２０に貼り付けるため、タイルカーペット１０を下地カーペット２０から綺麗に剥がすことができる。
【００４１】
上記の実施形態では、床面上に固定された下地カーペット２０に対してタイルカーペット１０を脱着自在に貼り付ける例を説明したが、壁面に固定された下地カーペット２０に対してタイルカーペット１０を脱着自在に貼り付けても良い。
【符号の説明】
【００４２】
１０ タイルカーペット
１０ａ タイルカーペット
１０ｂ タイルカーペット
１１ 本体層
１２ 表層
１３ 裏面（一方の面）
１４ 表面（他方の面）
２０ 下地カーペット
２１ 本体層
２２ 表層
３０ シート
３１ フック
３２ フック面
３３ 接着層
４０ 床
５０ 接着層
【図１】
2013253430.tif 000003
【図２】
2013253430.tif 000004
【図３】
2013253430.tif 000005